(57)【要約】【課題】セメントコンクリートなどからなる基礎を用いなくても一定程度の設置安定性を持つ組み立て式ソーラーパネル支持装置の提供。【解決手段】互いに間を空けて平行に並ぶ一対の第１のベースパイプ２１、及び一対の第１のベースパイプ２１と略直交するように一対の第１のベースパイプ２１の間に取り付けられている複数の第２のベースパイプ２２を有し、略水平面に配置されることができるベース手段２と、少なくとも２本の第２のベースパイプ２２により挿通されるように取り付けられている少なくとも１つの位置決定ユニット３１、及び位置決定ユニット３１から上方へ略垂直に延伸する少なくとも１つの支持柱３２を有するように配置構成されたサポータ手段３と、を備えていることを特徴とする組み立て式ソーラーパネル支持装置を提供する。【選択図】図２
0003192454.tif 000002
【実用新案登録請求の範囲】
【請求項１】
互いに間を空けて平行に並ぶ一対の第１のベースパイプと、前記一対の第１のベースパイプと略直交するように前記一対の第１のベースパイプの間に取り付けられている複数の第２のベースパイプと、を有し、略水平面に配置されることができるベース手段と、
少なくとも２本の前記第２のベースパイプにより挿通されるように前記ベース手段に取り付けられている少なくとも１つの位置決定ユニットと、前記位置決定ユニットから上方へ略垂直に延伸するようになっている少なくとも１つの支持柱と、を有し、前記支持柱でソーラーパネルを支持することができるように配置構成されたサポータ手段と、
を備えていることを特徴とする組み立て式ソーラーパネル支持装置。
【請求項２】
前記サポータ手段の前記位置決定ユニットは、前記第２のベースパイプにより挿通されることができる挿通孔が少なくとも２つ形成されている本体と、前記本体が前記ベース手段に取り付けられている際、該本体から上方へ突出するように形成される少なくとも１つの突起部と、を有するように形成されており、
前記支持柱は、少なくとも一端部に前記突起部により挿し込まれることができる取付け孔が凹設され、該取付け孔に前記位置決定ユニットの前記突起部が挿し込まれて前記位置決定ユニットに取付けられることができるように形成されていることを特徴とする請求項１に記載の組み立て式ソーラーパネル支持装置。
【請求項３】
前記サポータ手段は、前記位置決定ユニットの前記本体の下端から露出するように前記本体を上側から貫通することができるアンカーを更に有しており、
前記本体には、前記アンカーにより貫通されることができる固定孔が形成されていることを特徴とする請求項２に記載の組み立て式ソーラーパネル支持装置。
【請求項４】
前記アンカーは表面に雄ねじを有するように棒状に形成されていることを特徴とする請求項３に記載の組み立て式ソーラーパネル支持装置。
【請求項５】
前記ベース手段は、中空の前記第１のベースパイプと中空の前記第２のベースパイプとにより画成される収容空間を内部に有する上、液体を前記収容空間内に注入して前記ベース手段の重量を増すことができる注入バルブを更に有していることを特徴とする請求項１〜請求項４のいずれか一項に記載の組み立て式ソーラーパネル支持装置。
【請求項６】
前記ベース手段は、前記第１のベースパイプと略平行となるように配置されていると共に、両端がそれぞれ一本の前記第２のベースパイプに接続されて前記ベース手段全体の機械的強度を高める第３のベースパイプを更に有していることを特徴とする請求項１〜請求項５のいずれか一項に記載の組み立て式ソーラーパネル支持装置。
【考案の詳細な説明】
【技術分野】
【０００１】
本考案はソーラーパネルを支持する支持装置に関し、特に、組み立て式のソーラーパネル支持装置に関する。
【背景技術】
【０００２】
従来の組み立て式ソーラーパネル支持装置は、例えば特許文献１に開示されるものが挙げられる。図１は特許文献１に開示される組み立て式ソーラーパネル支持装置の構成が示されている斜視図である。図示のように、該組み立て式ソーラーパネル支持装置は、例えば地盤に埋め込まれる基礎に固定されているベース部１１と、ベース部１１から直立してソーラーパネル１０の固定枠１２を下から支持する支持柱１３と、を備えるように構成されている。
【０００３】
このような組み立て式ソーラーパネル支持装置を設置するには、まずはセメントコンクリートを使用して基礎を作らなければ、ソーラーパネル１０が固定されている支持装置は風によって位置がずれることが起き易い。従って、ソーラーパネル１０の設置場所を変える場合には、基礎を撤去した上で新たな設置場所に基礎を作り直さなければならず、非常に不便である。
【先行技術文献】
【特許文献】
【０００４】
【特許文献１】台湾登録実用新案Ｍ４０８０２３号明細書
【考案の概要】
【考案が解決しようとする課題】
【０００５】
上記問題点に鑑みて、本考案はセメントコンクリートなどからなる基礎を用いなくても一定程度の設置安定性を持つ組み立て式ソーラーパネル支持装置の提供を目的とする。
【課題を解決するための手段】
【０００６】
上記目的を達成すべく、本考案は、互いに間を空けて平行に並ぶ一対の第１のベースパイプ、及び前記一対の第１のベースパイプと略直交するように前記一対の第１のベースパイプの間に取り付けられている複数の第２のベースパイプを有し、略水平面に配置されることができるベース手段と、少なくとも２本の前記第２のベースパイプにより挿通されるように前記ベース手段に取り付けられている少なくとも１つの位置決定ユニット、及び前記位置決定ユニットから上方へ略垂直に延伸するようになっている少なくとも１つの支持柱を有し、前記支持柱でソーラーパネルを支持することができるように配置構成されたサポータ手段と、を備えていることを特徴とする組み立て式ソーラーパネル支持装置を提供する。
【０００７】
上記組み立て式ソーラーパネル支持装置において、前記サポータ手段の前記位置決定ユニットは、前記第２のベースパイプにより挿通されることができる挿通孔が少なくとも２つ形成されている本体と、前記本体が前記ベース手段に取り付けられている際、該本体から上方へ突出するように形成される少なくとも１つの突起部と、を有するように形成されており、前記支持柱は、少なくとも一端部に前記突起部により挿し込まれることができる取付け孔が凹設され、該取付け孔に前記位置決定ユニットの前記突起部が挿し込まれて前記位置決定ユニットに取付けられることができるように形成されていることが好ましい。
【０００８】
上記組み立て式ソーラーパネル支持装置において、前記サポータ手段は、前記位置決定ユニットの前記本体の下端から露出するように前記本体を上側から貫通することができるアンカーを更に有しており、前記本体には、前記アンカーにより貫通されることができる固定孔が形成されていることが好ましい。
【０００９】
上記組み立て式ソーラーパネル支持装置において、前記アンカーは表面に雄ねじを有するように棒状に形成されていることが好ましい。
【００１０】
上記組み立て式ソーラーパネル支持装置において、前記ベース手段は、中空の前記第１のベースパイプと中空の前記第２のベースパイプとにより画成される収容空間を内部に有する上、液体を前記収容空間内に注入して前記ベース手段の重量を増すことができる注入バルブを更に有していることが好ましい。
【００１１】
上記組み立て式ソーラーパネル支持装置において、前記ベース手段は、前記第１のベースパイプと略平行となるように配置されていると共に、両端がそれぞれ一本の前記第２のベースパイプに接続されて前記ベース手段全体の機械的強度を高める第３のベースパイプを更に有していることが好ましい。
【考案の効果】
【００１２】
上記構成によれば、本考案の組み立て式ソーラーパネル支持装置は、互いに間を空けて平行に並ぶ一対の第１のベースパイプ、及び一対の第１のベースパイプと略直交するように一対の第１のベースパイプの間に取り付けられている複数の第２のベースパイプを有し、略水平面に配置されることができるベース手段と、ベース手段に取り付けられている少なくとも１つの位置決定ユニット、及び位置決定ユニットから上方へ略垂直に延伸するようになっている少なくとも１つの支持柱を有するサポータ手段と、を備えた上で、ソーラーパネルをサポータ手段が有する支持柱で支持することができるので、第１のベースパイプと第２のベースパイプとにより構成されて略水平面に配置されることができるベース手段で支持効果を提供できる上に、液体を第１、第２のベースパイプに注入することによってベース手段の重量を増やし更に安定性を高めることができるので、セメントコンクリートなどからなる基礎を用いなくても一定程度の設置安定性を持つ組み立て式ソーラーパネル支持装置を提供することができる。
【図面の簡単な説明】
【００１３】
【図１】従来の組み立て式ソーラーパネル支持装置の一例が示されている斜視図である。
【図２】本考案の組み立て式ソーラーパネル支持装置の第１の実施形態の構成が示されている斜視図である。
【図３】本考案の組み立て式ソーラーパネル支持装置の第１の実施形態が有するベース手段の構成が示される一部拡大斜視図である。
【図４】本考案の組み立て式ソーラーパネル支持装置の第１の実施形態の構成が示されている一部拡大斜視図である。
【図５】本考案の組み立て式ソーラーパネル支持装置の第１の実施形態の構成が示されている分解図である。
【図６】本考案の組み立て式ソーラーパネル支持装置の第１の実施形態が有するサポータ手段における位置決定ユニット及び支持柱の構成が示される断面図である。
【図７】本考案の組み立て式ソーラーパネル支持装置の第２の実施形態の構成が示されている一部拡大斜視図である。
【図８】本考案の組み立て式ソーラーパネル支持装置の第２の実施形態の構成が示されている分解図である。
【図９】本考案の組み立て式ソーラーパネル支持装置の第２の実施形態の構成が示されている側面図である。
【考案を実施するための形態】
【００１４】
以下では各図面を参照しながら、本考案の組み立て式ソーラーパネル支持装置について詳しく説明する。
【００１５】
図２〜図６に本考案の組み立て式ソーラーパネル支持装置の第１の実施形態が示されており、図２は本考案の組み立て式ソーラーパネル支持装置の第１の実施形態の構成が示されている斜視図であり、図３は本考案の組み立て式ソーラーパネル支持装置の第１の実施形態が有するベース手段の構成が示される一部拡大斜視図であり、図４は本考案の組み立て式ソーラーパネル支持装置の第１の実施形態の構成が示されている一部拡大斜視図であり、図５は本考案の組み立て式ソーラーパネル支持装置の第１の実施形態の構成が示されている分解図であり、図６は本考案の組み立て式ソーラーパネル支持装置の第１の実施形態が有するサポータ手段における位置決定ユニットの構成が示される側面図である。
【００１６】
図２に示されているように、本考案の組み立て式ソーラーパネル支持装置は、例えば地面などに設置されるベース手段２と、ベース手段２に固定されていると共にソーラーパネル４を支持することができるサポータ手段３と、を備えてなるものである。
【００１７】
本考案の組み立て式ソーラーパネル支持装置におけるベース手段２は、図２〜図５に示されているように、互いに間を空けて平行に並んでいる一対の第１のベースパイプ２１と、該一対の第１のベースパイプ２１と略直交するように該一対の第１のベースパイプ２１の間に取り付けられている複数の第２のベースパイプ２２と、を有し、略水平面に配置されることができる。
【００１８】
また、この第１の実施形態では図２及び図３に示されているように、一対の第１のベースパイプ２１の間に二対（４本）の第２のベースパイプ２２が取付けられており、隣り合う２本の第２のベースパイプ２２の間には、第１のベースパイプ２１と略平行となるように配置されていると共に、両端がそれぞれ１本の第２のベースパイプ２２に接続されている第３のベースパイプ２３を更に有しており、この第３のベースパイプ２３を有することにより、ベース手段２全体の機械的強度を高めることが可能である。
【００１９】
本考案の組み立て式ソーラーパネル支持装置におけるサポータ手段３は、図２及び図４〜図６に示されているように、少なくとも２本の第２のベースパイプ２２により挿通されるようにベース手段２に取り付けられている少なくとも１つの位置決定ユニット３１と、位置決定ユニット３１から上方へ略垂直に延伸するようになっている少なくとも１つの支持柱３２と、を有し、支持柱３２でソーラーパネル４を支持することができるように配置構成されたものである。
【００２０】
この第１の実施形態において、サポータ手段３は２０個の位置決定ユニット３１を有すると共に、各位置決定ユニット３１にそれぞれ２本の支持柱３２が取付けられており、そして各支持柱３２はそれぞれの位置及びソーラーパネル４に応じて、異なる長さに形成されている。
【００２１】
また、図５及び図６に示されているように、この第１の実施形態においてサポータ手段３が有する位置決定ユニット３１は、ベース手段２の第２のベースパイプ２２により挿通されることができる挿通孔３１１が２つ形成されている本体３１０と、本体３１０がベース手段２に取り付けられている際、該本体３１０から上方へ突出するように形成される２つの突起部３１２と、を有するように形成されている。
【００２２】
位置決定ユニット３１に取付けられる各支持柱３２は、それぞれ少なくとも一端部（下端部）に位置決定ユニット３１の突起部３１２により挿し込まれることができる取付け孔３２１が凹設され、該取付け孔３２１に位置決定ユニット３１の突起部３１２が挿し込まれて位置決定ユニット３１に取付けられることができる。更に、図６に示されているように、各突起部３１２には一対の第１のねじ孔３１３が形成され、そして各支持柱３２には第１のねじ孔３１３の形成位置に対応する一対の第２のねじ孔３２２が形成されており、第２のねじ孔３２２を挿通してから第１のねじ孔３１３にねじ込まれるねじを更に取付けることによって、各支持柱３２を取り外し可能に位置決定ユニット３１に固定することができる。
【００２３】
また、図示されているように、複数のソーラーパネル４は保持枠４１によって所定の平面に保持されており、サポータ手段３が有する各支持柱３２は保持枠４１を下から支持しながら、保持枠４１がソーラーパネル４を保持する所定の平面を太陽光に迎えるのに適する角度に保持することができる。
【００２４】
図７〜図９に本考案の組み立て式ソーラーパネル支持装置の第２の実施形態が示されており、図７は本考案の組み立て式ソーラーパネル支持装置の第２の実施形態の構成が示されている一部拡大斜視図であり、図８は本考案の組み立て式ソーラーパネル支持装置の第２の実施形態の構成が示されている分解図であり、図９は本考案の組み立て式ソーラーパネル支持装置の第２の実施形態の構成が示されている側面図である。
【００２５】
図示のように、本考案の組み立て式ソーラーパネル支持装置の第２の実施形態は第１の実施形態と類似する構成になっているので、以下ではその相違点、即ち、ベース手段２及びサポータ手段３に追加される構成のみについて詳しく説明する。この第２の実施形態は、第１の実施形態よりも保持安定性が高められたものであり、ベース手段２に注入バルブ２４が追加され、サポータ手段３にアンカー３１５が追加されている。
【００２６】
この第２の実施形態において、ベース手段２が有する各第１のベースパイプ２１及び各第２のベースパイプ２２は、それぞれ中空に形成されていると共に、各第１のベースパイプ２１及び各第２のベースパイプ２２それぞれの中空内部は互いに連通して収容空間を画成する上、図７に示されているように、液体を前記収容空間内に注入することができる注入バルブ２４が１つの第２のベースパイプ２２に取付けられている。
【００２７】
注入バルブ２４で液体をベース手段２の収容空間に注入することによりベース手段２の重量を増すことができ、これによってこの第２の実施形態の設置安定性を高めることができる。
【００２８】
また、この第２の実施形態では、図７及び図８に示されているように、サポータ手段３の位置決定ユニット３１には本体３１０の下端から露出するように本体３１０を上側から貫通するアンカー３１５が更に取付けられており、そして本体３１０には、アンカー３１５に対応し、アンカー３１５により貫通されることができる固定孔３１４が形成されている。ちなみに、この実施形態において使用されるアンカー３１５は、表面に雄ねじを有するように棒状に形成されている。
【００２９】
アンカー３１５を追加することにより、本考案の組み立て式ソーラーパネル支持装置の第２の実施形態は図９に示されているように、位置決定ユニット３１の本体３１０の下端から露出するアンカー３１５を土のなかに挿し込めば基礎としての効果を提供でき、これによってこの第２の実施形態の設置安定性を更に高めることができる。
【産業上の利用可能性】
【００３０】
上記構成によれば、本考案の組み立て式ソーラーパネル支持装置は、互いに間を空けて平行に並ぶ一対の第１のベースパイプ、及び一対の第１のベースパイプと略直交するように一対の第１のベースパイプの間に取り付けられている複数の第２のベースパイプを有し、略水平面に配置されることができるベース手段と、ベース手段に取り付けられている少なくとも１つの位置決定ユニット、及び位置決定ユニットから上方へ略垂直に延伸するようになっている少なくとも１つの支持柱を有するサポータ手段と、を備えた上で、ソーラーパネルをサポータ手段が有する支持柱で支持することができるので、第１のベースパイプと第２のベースパイプとにより構成されて略水平面に配置されることができるベース手段で支持効果を提供できる上に、液体を第１、第２のベースパイプに注入することによってベース手段の重量を増やし更に安定性を高めることができるので、セメントコンクリートなどからなる基礎を用いなくても一定程度の設置安定性を持つ組み立て式ソーラーパネル支持装置を提供することができる。
【００３１】
また、本考案の組み立て式ソーラーパネル支持装置は注入バルブ及びアンカーを追加することにより、設置安定性を更に高めることができるので、セメントコンクリートを使用する従来の基礎より設置や撤去に遥かに便利であると共に、信頼に足りる安定性を持つ組み立て式ソーラーパネル支持装置を提供することができる。
【符号の説明】
【００３２】
２  ベース手段
２１  第１のベースパイプ
２２  第２のベースパイプ
２３  第３のベースパイプ
２４  注入バルブ
３  サポータ手段
３１  位置決定ユニット
３１０  本体
３１１  挿通孔
３１２  突起部
３１３  第１のねじ孔
３１４  固定孔
３１５  アンカー
３２  支持柱
３２１  取付け孔
３２２  第２のねじ孔
４  ソーラーパネル
４１  保持枠
【図１】
0003192454.tif 000003
【図２】
0003192454.tif 000004
【図３】
0003192454.tif 000005
【図４】
0003192454.tif 000006
【図５】
0003192454.tif 000007
【図６】
0003192454.tif 000008
【図７】
0003192454.tif 000009
【図８】
0003192454.tif 000010
【図９】
0003192454.tif 000011